(57)【要約】      （修正有）【課題】拡張状態における不用意な解除を低減した支持脚、及びコットを提供する。【解決手段】支持脚１６は、略Ｌ字状の第１部２０と、これと逆向きの略Ｌ字状の第２部２２と、枢軸部２４と、スライドロック２８を備える。第１部２０は、スライドロック２８がスライド自在に設けられた第１水平部３２と、第１起立部３０と、その先端の第１留め具６０とを有する。第２部２２は、第１水平部３２と重なる第２水平部３８と、第２起立部３６と、その先端の第２留め具６０とを有する。枢軸部２４は拡張位置と縮小位置との間で第２部を第１部に直接的又は間接的に枢動可能に連結する。第２部が第１部に対して拡張位置に位置する状態で、スライドロックが第２部側に移動し第２水平部３８をロックする一方、スライドロックが第１部側に移動してロックが解除される。【選択図】図４
0003224063.tif 000002
【実用新案登録請求の範囲】
【請求項１】
略Ｕ字状の支持脚であって、略Ｌ字状の第１部と、
前記支持脚の幅方向である第１方向において前記第１部と逆向きの略Ｌ字状の第２部と、
枢軸部と、
スライドロックを備えており、
前記第１部は、第１水平部と、前記第１水平部から第２方向に起立した第１起立部と、前記第１起立部の先端に設けられた第１留め具とを有しており、前記第２方向は、前記第１方向に略直交しており、
前記第２部は、第２水平部と、前記第２水平部から前記第２方向に起立した第２起立部と、前記第２起立部の先端に設けられた第２留め具とを有しており、且つ前記第２水平部が前記第２方向又は第３方向において前記第１水平部に重なるように配置されており、前記第３方向は、前記第１方向及び前記第２方向に略直交しており、
前記枢軸部は、拡張位置と縮小位置との間で前記第２部を前記第１部に直接的又は間接的に枢動可能に連結しており、前記拡張位置は、前記第１水平部と前記第２水平部とが略平行に配置され且つ前記第１留め具から前記第２留め具までの前記第１方向の距離が第１距離となる位置であり、前記縮小位置は、前記第２水平部が前記第１水平部に対して傾斜し且つ前記第１留め具から前記第２留め具までの前記第１方向の距離が前記第１距離よりも短い第２距離となる位置であり、
前記スライドロックは、前記第１水平部にスライド自在に設けられており、
前記第２部が前記第１部に対して前記拡張位置に位置する状態で、前記スライドロックが前記第２部側に移動して前記第２水平部をロックする一方、前記スライドロックが前記第２水平部をロックした状態から前記スライドロックが前記第１部側に移動することにより前記ロックが解除される支持脚。  
【請求項２】
請求項１記載の支持脚において、
前記スライドロックは、前記第２部の前記第２水平部に対して接近及び離反可能になっており、
前記スライドロックには、前記スライドロックが前記第２水平部に接近する方向に開口した係合孔が設けられており、
前記第２部が前記第１部に対して前記拡張位置に位置する状態で、前記スライドロックが前記第２水平部に接近して前記第２水平部が前記係合孔に嵌合することにより前記ロックを行う一方、前記第２水平部が前記係合孔に嵌合した状態から前記スライドロックが前記第２水平部から離反することにより前記嵌合が解除される支持脚。
【請求項３】
請求項１記載の支持脚において、
前記スライドロック及び前記第２水平部の何れか一方には、係合凸部が設けられており、他方には係合孔が設けられており、
前記第２部が前記第１部に対して前記拡張位置に位置する状態で、前記スライドロックが前記第２部側に移動して前記係合凸部が前記係合孔に嵌合することにより前記ロックを行う一方、前記係合凸部が前記係合孔に嵌合した状態から前記スライドロックが前記第１部側に移動することにより前記嵌合が解除される支持脚。
【請求項４】
請求項１、２又は３記載の支持脚において、
前記第１部の前記第１水平部から前記第２部の前記第２水平部側へ延びた連結部を更に備えており、
前記枢軸部は、前記連結部を前記第２部の前記第２水平部に軸支することによって、前記第２部を前記第１部に枢動可能に連結している支持脚。
【請求項５】
請求項４記載の支持脚において、
前記枢軸部は、前記第２部の前記第２水平部における移行箇所の近傍に前記連結部を軸支しており、前記移行箇所は前記第２水平部が前記第２起立部に移行する箇所である支持脚。
【請求項６】
柔軟性を有する寝床部と、
前記寝床部の両端部に設けられた第１、第２長手支持ポールと、
請求項１、２、３、４又は５記載の支持脚とを備えており、
前記支持脚の前記第２部が前記第１部に対して前記拡張位置に位置する状態で、前記支持脚の前記第１部の前記第１留め具と前記支持脚の前記第２部の前記第２留め具とが前記第１距離で位置し、前記第１留め具に係合された前記第１長手支持ポールと、前記第２留め具に係合された前記第２長手支持ポールとが離間し、前記寝床部が前記第１、第２長手支持ポールに緊張状態で懸架されており、
前記支持脚の前記第２部が前記第１部に対して前記縮小位置に位置する状態で、前記支持脚の前記第１部の前記第１留め具と前記支持脚の前記第２部の前記第２留め具とが前記第２距離で位置し、前記第１留め具に係合された前記第１長手支持ポールと、前記第２留め具に係合された前記第２長手支持ポールとが接近し、前記第１留め具と前記第１長手支持ポールとの係合及び前記第２留め具と前記第２長手支持ポールとの係合が解除可能となるコット。
【請求項７】
請求項６記載のコットにおいて、
前記第１留め具は、前記第１長手支持ポール側に開放された略Ｃ字状のフックであり、前記第１留め具と前記第１長手支持ポールとの係合は、前記第１長手支持ポールが前記第１留め具内に嵌合することであり、
前記第２留め具は、前記第２長手支持ポール側に開放された前記第１留め具と逆向きの略Ｃ字状のフックであり、前記第２留め具と前記第２長手支持ポールとの係合は、前記第２長手支持ポールが前記第２留め具内に嵌合することであるコット。
【考案の詳細な説明】
【技術分野】
【０００１】
本考案は、支持脚及びこれを備えたコットに関する。
【背景技術】
【０００２】
下記特許文献１には従来のコットが記載されている。このベッドは、可撓性を有する生地で構成された寝床部と、第１、第２支持ポールと、複数の支持脚とを備えている。寝床部の短手方向の両端部には、第１、第２スリーブが各々設けられている。この第１、第２スリーブ内に第１、第２支持ポールが挿入されている。第１、第２スリーブには、その長手方向に間隔をあけて複数の第１、第２切り欠きが設けられている。各支持脚は、第１端部及び第２端部を有する略Ｕ字状の脚本体と、第１接続部と、第２接続部とを有している。第１接続部は、脚本体の第１端部に固定されており且つ外向きに開放された略Ｃ字状の第１フックを有する。第２接続部は、脚本体の第２端部に枢動可能に連結されたレバー部と、このレバー部の先端に設けられており且つ第１フックと逆向きに開放された略Ｃ字状の第２フックとを有している。
【０００３】
支持脚のレバー部が内側に枢動され且つ第２フックが第１フック側に近づいた状態で、第１フックが第１スリーブの第１切り欠きを通じて第１スリーブ内の第１支持ポールに引っ掛けられると共に、第２フックが第２スリーブの第２切り欠きを通じて第２スリーブ内の第２支持ポールに引っ掛けられる。その後、レバー部を外側に枢動させ、第２フックが第１フックから離反することによって、第１、第２支持ポールが互いに離反し、寝床部が緊張する。このように従来のコットが組み立てられている。以下、この組立時の支持脚の状態を拡張状態という。
【先行技術文献】
【特許文献】
【０００４】
【特許文献１】ＵＳ２０１４／０１１５７８０
【考案の開示】
【考案が解決しようとする課題】
【０００５】
上記した従来のコットは、支持脚の拡張状態が不用意に解除される恐れがある。なぜなら、レバー部が脚本体の第２端部に枢動可能に連結された構成であるため、拡張状態で、第２フックに対して内側への外力が加えられると、レバー部が内側に枢動して第２フックが第１フック側に移動し、第１、第２支持ポールが互いに近づいて寝床部の緊張が解除されるリスクがあるからである。
【０００６】
本考案は、拡張状態が不用意に解除される可能性を低減できる支持脚及びこれを用いたコットを提供する。
【課題を解決するための手段】
【０００７】
上記課題を解決するために、本考案の一態様に係る支持脚は、略Ｕ字状であって、略Ｌ字状の第１部と、当該支持脚の幅方向である第１方向において第１部と逆向きの略Ｌ字状の第２部と、枢軸部と、スライドロックを備えている。第１部は、第１水平部と、第１水平部から第２方向に起立した第１起立部と、この第１起立部の先端に設けられた第１留め具とを有する。第２方向は、第１方向に略直交している。第２部は、第２水平部と、この第２水平部から第２方向に起立した第２起立部と、第２起立部の先端に設けられた第２留め具とを有しており、且つ第２水平部が第２方向又は第３方向において第１水平部に重なるように配置されている。第３方向は、第１方向及び第２方向に略直交している。枢軸部は、拡張位置と縮小位置との間で、第２部を第１部に直接的又は間接的に枢動可能に連結している。拡張位置は、第１水平部と第２水平部とが略平行に配置され且つ第１留め具から第２留め具までの第１方向の距離が第１距離となる位置である。縮小位置は、第２水平部が第１水平部に対して傾斜し且つ第１留め具から第２留め具までの第１方向の距離が第１距離よりも短い第２距離となる位置である。スライドロックは、第１水平部にスライド自在に設けられている。第２部が第１部に対して拡張位置に位置する状態で、スライドロックが第２部側に移動して第２水平部をロックする一方、スライドロックが第２水平部をロックした状態からスライドロックが第１部側に移動することにより前記ロックが解除される。
【０００８】
このような態様の支持脚による場合、スライドロックが第１水平部にスライド自在に設けられおり、このスライドロックが、第２部が第１部に対して拡張位置に位置する状態で第２部側に移動して第２水平部をロックしているため、仮に第１部及び／又は第２部に外力が加わったとしても、第２部が第１部に対して拡張位置から縮小位置に枢軸する可能性（すなわち、支持脚の拡張状態が解除される可能性）が低減される。
【０００９】
スライドロックは、第２部の第２水平部に対して接近及び離反可能な構成とすることが可能である。スライドロックには、このスライドロックが第２水平部に接近する方向に開口した係合孔が設けられた構成とすることが可能である。第２部が第１部に対して拡張位置に位置する状態で、スライドロックが第２水平部に接近して第２水平部が係合孔に嵌合することによりロックを行う一方、第２水平部が係合孔に嵌合した状態からスライドロックが第２水平部から離反することにより嵌合が解除される構成とすることが可能である。
【００１０】
又は、スライドロック及び第２水平部の何れか一方には、係合凸部が設けられ、他方には係合孔が設けられた構成とすることが可能である。第２部が第１部に対して拡張位置に位置する状態で、スライドロックが第２部側に移動して係合凸部が係合孔に嵌合することによりロックを行う一方、係合凸部が係合孔に嵌合した状態からスライドロックが第１部側に移動することにより嵌合が解除される構成とすることが可能である。
【００１１】
上記した何れかの支持脚は、第１部の第１水平部から第２部の第２水平部側へ延びた連結部を更に備えた構成とすることが可能である。枢軸部は、連結部を第２部の第２水平部に軸支することによって、第２部を第１部に枢動可能に連結する構成とすることが可能である。
【００１２】
枢軸部は、第２部の第２水平部における移行箇所の近傍に連結部を軸支した構成とすることが可能である。移行箇所は、第２水平部が第２起立部に移行する箇所とすることが可能である。
【００１３】
本考案の一態様のコットは、柔軟性を有する寝床部と、寝床部の両端部に設けられた第１、第２長手支持ポールと、上記した何れかの態様の支持脚とを備えている。支持脚の第２部が第１部に対して拡張位置に位置する状態で、支持脚の第１部の第１留め具と支持脚の第２部の第２留め具とが第１距離で位置し、第１留め具に係合された第１長手支持ポールと、第２留め具に係合された第２長手支持ポールとが離間し、寝床部が第１、第２長手支持ポールに緊張状態で懸架されている。支持脚の第２部が第１部に対して縮小位置に位置する状態で、支持脚の第１部の第１留め具と支持脚の第２部の第２留め具とが第２距離で位置し、第１留め具に係合された第１長手支持ポールと、第２留め具に係合された第２長手支持ポールとが接近し、第１留め具と第１長手支持ポールとの係合及び第２留め具と第２長手支持ポールとの係合が解除可能となる。
【００１４】
第１留め具は、第１長手支持ポール側に開放された略Ｃ字状のフックとすることが可能である。この場合、第１留め具と第１長手支持ポールとの係合は、第１長手支持ポールが第１留め具内に嵌合することとすると良い。第２留め具は、第２長手支持ポール側に開放された第１留め具と逆向きの略Ｃ字状のフックとすることが可能である。この場合、第２留め具と第２長手支持ポールとの係合は、第２長手支持ポールが第２留め具内に嵌合することとすると良い。
【図面の簡単な説明】
【００１５】
【図１】本考案の実施例１に係るコットの概略的分解斜視図である。
【図２】前記コットから支持脚を取り外した状態を示す概略的斜視図である。
【図３】前記コットの概略的斜視図である。
【図４】前記コットの概略的正面図であって、当該ベッドの支持脚の第２部が第１部に対して縮小位置に位置し且つスライドロックのロックを解除した状態を示す図である。
【図５】前記コットの概略的正面図であって、当該ベッドの支持脚の第２部が第１部に対して拡張位置に位置し且つスライドロックのロックを解除した状態を示す図である。
【図６】前記コットの概略的正面図であって、当該ベッドの支持脚の第２部が第１部に対して拡張位置に位置し且つスライドロックが第２部の第２水平部をロックした状態を示す図である。
【考案を実施するための形態】
【００１６】
以下、本考案の実施例１及びその設計変形例について説明する。なお、後述する実施例及び設計変更例の各構成要素は、互いに矛盾しない限り、相互に組み合わせることが可能であることに留意されたい。また、後述する実施例の各態様及び設計変形例における各構成要素を構成する素材、形状、寸法、数及び配置等はその一例を説明したものであって、同様の機能を実現し得る限り任意に設計変更することが可能である。
【００１７】
以下、本考案の実施例１及びその設計変形例を含む複数の実施例に係るコット１０について、図１〜図６を参照しつつ説明する。コット１０は、柔軟性を有する寝床部１２と、この寝床部１２を地面上方又は床上方の懸架位置で支持する骨組み１４とを備えている。なお、図１〜図３には、Ｙ−Ｙ’方向（第３方向）が示され、図１〜図３及び図６には、Ｘ−Ｘ’方向（第１方向）及びＺ−Ｚ’方向（第２方向）が示されている。Ｘ−Ｘ’方向は、Ｙ−Ｙ’方向に略直交している。Ｚ−Ｚ’方向は、Ｙ−Ｙ’方向及びＸ−Ｘ’方向に略直交している。
【００１８】
寝床部１２は、可撓性を有するナイロン又はポリエステル等の生地、又は、可撓性を有する糸を高密度に織り込んだ高密度織物で構成されている。前記生地の片面又は両面には、ポリウレタン系樹脂、ポリエステル系樹脂やポリテトラフルオロエチレン樹脂等の樹脂膜がコーティング又はラミネートによって形成されていても良い。寝床部１２の短手方向の両端部には、第１、第２スリーブ１２１、１２１が設けられている。第１、第２スリーブ１２１、１２１は、Ｙ−Ｙ’方向に延びた可撓性を有する筒であって、Ｙ方向及びＹ’方向のうちの少なくとも一方において開口している。第１、第２スリーブ１２１、１２１には、複数の切り欠き５０がＹ−Ｙ’方向に間隔をあけて設けられている。
【００１９】
骨組み１４は、第１、第２長手支持ポール１８を有している。第１、第２長手支持ポール１８は、アルミニウム又はアルミニウム合金などの金属で構成されたポールであって、Ｙ−Ｙ’方向に延びている。この第１、第２長手支持ポール１８は、複数のポールがＹ−Ｙ’方向に着脱可能に連結された構成とすると良いが、一本のポールで構成されていても構わない。第１、第２長手支持ポール１８が、第１、第２スリーブ１２１、１２１内にその開口から挿入されており且つ第１、第２スリーブ１２１、１２１の切り欠き５０から部分的に露出している。以下、第１、第２長手支持ポール１８の切り欠き５０から露出した部分を露出部と称する。
【００２０】
骨組み１４は、切り欠き５０と略同間隔でＹ−Ｙ’方向に配置される複数の略Ｕ字状の支持脚１６を更に有している。なお、Ｘ−Ｘ’方向は支持脚１６の幅方向に相当し、Ｚ−Ｚ’方向は支持脚１６の高さ方向に相当し、Ｙ−Ｙ’方向は支持脚１６の厚み方向に相当する。
【００２１】
各支持脚１６は、略Ｌ字状の第１部２０と、この第１部２０とＸ−Ｘ’方向において逆向きの略Ｌ字状の第２部２２と、枢軸部２４と、連結部２６とを有している。第１部２０は、第１水平部３２と、第１起立部３０と、第１留め具６０とを有している。第２部２２は、第２水平部３８と、第２起立部３６と、第２留め具６０とを有している。第１水平部３２は、略Ｘ−Ｘ’方向に延びている。第２水平部３８は、略Ｘ−Ｘ’方向に延びている。第２水平部３８は、Ｚ−Ｚ’方向において第１水平部３２に重なるように配置されていても良い（図１〜図６参照）し、Ｙ−Ｙ’方向において第１水平部３２に重なるように配置されていても良い（図示せず）。第１起立部３０は第１水平部３２からＺ方向に起立し、第２起立部３６は第２水平部３８からＺ方向に起立している。第１起立部３０は第１水平部３２に対してＸ−Ｘ’方向において傾斜していても良く、第２起立部３６は第２水平部３８に対してＸ−Ｘ’方向において傾斜していても良い。第１留め具６０は第１起立部３０の先端に設けられ、第２留め具６０は第２起立部３６の先端に設けられている。以下、説明の便宜上、各支持脚１６の第２水平部３８が第２起立部３６に移行する箇所、すなわち、第２部２２の角部を第２部２２の移行箇所又は単に移行箇所と称する。
【００２２】
枢軸部２４は、拡張位置と縮小位置との間で第２部２２を第１部２０に連結部２６を介して間接的に枢軸可能に連結した構成とすることが可能である。例えば、この構成としては、下記（１）又は（２）の通りとすることが可能である。なお、拡張位置は、第１水平部３２と第２水平部３８とが略平行に配置され且つ第１留め具６０から前記第２留め具６０までのＸ−Ｘ’方向の距離が第１距離Ｄ１となる位置である。縮小位置は、第２水平部３８が第１水平部３２に対してＺ’方向に傾斜し且つ第１留め具６０から第２留め具６０までのＸ−Ｘ’方向の距離が第１距離Ｄ１よりも短い第２距離Ｄ２となる位置である。以下、説明の便宜上、第２部２２が第１部２０に対して拡張位置に位置する状態を「拡張状態」ともいい、第２部２２が第１部２０に対して縮小位置に位置する状態を「縮小状態」ともいう。
【００２３】
（１）第２水平部３８がＺ−Ｚ’方向において第１水平部３２に重なる場合（図１〜図６参照）、各支持脚１６は連結部２６を有している。連結部２６は、第１水平部３２の先端部からＺ’方向側（第２水平部３８側）に延びており、連結部２６のＺ’方向側の端部はＺ’方向に開放された略Ｕ字状であって、その内部に第２水平部３８の移行箇所の近傍（移行箇所よりもＸ方向側の部分）が挿入されている。枢軸部２４は、連結部２６のＺ’方向側の端部及び第２水平部３８の移行箇所よりＸ方向側の部分をＹ−Ｙ’方向に貫通した軸であって、連結部２６を第２水平部３８に軸支している。このように枢軸部２４は、連結部２６を介して第２部２２を第１部２０に間接的に枢軸可能に連結している。
【００２４】
なお、連結部２６のＺ’方向側の端部の内部には、第２水平部３８の移行箇所よりＸ方向側の部分以外の部分が挿入されており、枢軸部２４は、連結部２６のＺ’方向側の端部及び第２水平部３８の移行箇所よりＸ方向側の部分以外の部分をＹ−Ｙ’方向に貫通していても構わない。連結部２６は、第１水平部３２の先端部よりもＸ方向側の部分から延びていても構わない。
【００２５】
（２）第２水平部３８がＹ−Ｙ’方向において第１水平部３２に重なる場合（図示せず）、各支持脚１６は連結部２６の代わりに図示しないスペーサを有している。スペーサは、第１水平部３２の先端部と第２水平部３８の移行箇所よりＸ方向側の部分との間に介在しており、枢軸部２４は、スペーサ、第２水平部３８の先端部及び第１水平部３２の移行箇所よりＸ方向側の部分をＹ−Ｙ’方向に貫通した軸である。このように枢軸部２４は、スペーサを介して第２部２２を第１部２０に間接的に枢軸可能に連結している。
【００２６】
なお、スペーサは第１水平部３２の任意の部分と第２水平部３８の任意の部分との間に介在でき、枢軸部２４は、スペーサと第１水平部３２の任意の部分と第２水平部３８の任意の部分とをＹ−Ｙ’方向に貫通していても構わない。
【００２７】
また、枢軸部２４は、拡張位置と縮小位置との間で第２部２２を第１部２０に連結部２６又はスペーサを介さず直接的に枢軸可能に連結した構成とすることが可能である。例えば、この構成としては、下記（３）又は（４）の通りとすることが可能である。この場合、連結部２６及びスペーサは省略される。
【００２８】
（３）第２水平部３８がＺ−Ｚ’方向において第１水平部３２に重なる場合、第１水平部３２の先端部がＸ’方向に開放された略Ｕ字状であって、その内部に第２起立部３６の移行箇所よりもＺ’方向側の部分又は移行箇所が挿入されている。枢軸部２４は、第１水平部３２の先端部及び第２起立部３６の移行箇所よりもＺ’方向側の部分又は移行箇所をＹ−Ｙ’方向に貫通した軸である。このように枢軸部２４は、第２部２２を第１部２０に直接的に枢軸可能に連結している。
【００２９】
（４）上記（２）の構成において、スペーサを省略し、枢軸部２４が、第２水平部３８及び第１水平部３２をＹ−Ｙ’方向に貫通した構成とすることが可能である。このようにしても、枢軸部２４は、第２部２２を第１部２０に直接的に枢軸可能に連結している。
【００３０】
第１留め具６０は、Ｘ方向側に開放された略Ｃ字状のフックである。第１留め具６０、内に、第１長手支持ポール１８の露出部がＸ方向側から嵌合する。第２留め具６０は、Ｘ’方向側に開放された第１留め具６０と逆向きの略Ｃ字状のフックである。第２留め具６０、内に、第２長手支持ポール１８の露出部がＸ’方向側から嵌合する。上記拡張状態で、第１留め具６０から前記第２留め具６０までのＸ−Ｘ’方向の距離が第１距離Ｄ１（図５参照）となり、これにより、第１長手支持ポール１８と第２長手支持ポール１８との間の距離が寝床部１２のＸ−Ｘ’方向の寸法と略同じ又は若干大きく開き、寝床部１２をＸ−Ｘ’方向において緊張させる。一方、上記縮小状態で、第１留め具６０から前記第２留め具６０までのＸ−Ｘ’方向の距離が第２距離Ｄ２（図４参照）となり、これにより第１長手支持ポール１８と第２長手支持ポール１８との間の距離が寝床部１２のＸ−Ｘ’方向の寸法よりも小さくなり、寝床部１２の緊張が解除される。この状態で、第１留め具６０、内から第１長手支持ポール１８の露出部が、第２留め具６０、内から第２長手支持ポール１８の露出部が取り外し可能となる。
【００３１】
各支持脚１６は、スライドロック２８を更に有している。スライドロック２８は、第１部２０の第１水平部３２にスライド自在に設けられている（図４〜図６参照）。上記拡張状態で、スライドロック２８がＸ’方向側（第２部２２側）に移動して第２部２２の第２水平部３８をロックする一方で、スライドロック２８が第２水平部３８をロックした状態からスライドロック２８がＸ方向側（第１部２０側）に移動することにより前記ロックが解除される構成となっている。例えば、この構成としては、下記（５）又は（６）の通りとすることが可能である。
【００３２】
（５）上記拡張状態で、スライドロック２８は、上記した何れかの態様の第２水平部３８の先端部に対向するように延びており、前記スライド移動により第２水平部３８の先端部に対して接近及び離反可能になっている。スライドロック２８が第２水平部３８の先端部に接近する方向はＸ’方向であり、スライドロック２８が第２水平部３８の先端部から離反する方向がＸ方向である。スライドロック２８には、Ｘ’方向に開口した図示しない係合孔が設けられている。上記拡張状態で、スライドロック２８が第２水平部３８の先端部に接近して第２水平部３８の先端部が係合孔に嵌合することにより前記ロックを行う一方、第２水平部３８の先端部が係合孔に嵌合した状態からスライドロック２８が第２水平部３８の先端部から離反することにより前記嵌合（ロック）が解除される構成となっている。
【００３３】
（６）スライドロック２８及び上記した何れかの態様の第２水平部３８の何れか一方には、図示しない係合凸部が設けられており、他方には図示しない係合孔が設けられている。第２水平部３８がＺ−Ｚ’方向において第１水平部３２に重なる場合、上記拡張状態で、スライドロック２８及び第２水平部３８が互いに対向するようにＹ−Ｙ’方向に延びており、スライドロック２８及び第２水平部３８のうちの一方の対向部に係合凸部が設けられ、他方の対向部に係合孔が設けられても良い。又は、第２水平部３８がＹ−Ｙ’方向において第１水平部３２に重なる場合、上記拡張状態で、スライドロック２８及び第２水平部３８が互いに対向するようにＺ−Ｚ’方向に延びており、スライドロック２８及び第２水平部３８のうちの一方の対向部に係合凸部が設けられ、他方の対向部に係合孔が設けられても良い。又は、上記（５）と同様に、上記拡張状態で、スライドロック２８が上記した何れかの態様の第２水平部３８の先端部に対向するように延びており、スライドロック２８及び第２水平部３８の先端部うちの一方に係合凸部が設けられ、他方に係合孔が設けられても良い。何れの態様であっても、上記拡張状態で、スライドロック２８がＸ’方向側（第２部２２側）に移動して係合凸部が係合孔に嵌合することにより前記ロックを行う一方、係合凸部が係合孔に嵌合した状態からスライドロック２８がＸ方向側（第１部２０側）に移動することにより前記嵌合（ロック）が解除される構成となっている。
【００３４】
以下、コット１０の組立手順について詳しく説明する。まず、寝床部１２及び第１、第２長手支持ポール１８を用意する。寝床部１２の第１、第２スリーブ１２１に第１、第２長手支持ポール１８を挿入する。すると、第１、第２長手支持ポール１８の露出部が第１、第２スリーブ１２１の切り欠き５０から露出する。
【００３５】
その後、複数の支持脚１６を用意する。各支持脚１６の第２部２２が第１部２０に対して縮小位置に位置させる。この状態で、各支持脚１６の第２部２２の第２水平部３８は、第１部２０の第１水平部３２に対して傾斜しており、各支持脚１６の第１部２０の第１留め具６０及び第２部２２の第２留め具６０は第２距離Ｄ２で位置している。このように各支持脚１６を縮小状態とする。この縮小状態を維持しつつ、第１部２０の第１留め具６０を第１スリーブ１２１の対応する切り欠き５０を通じて第１長手支持ポール１８の対応する露出部にアクセスさせ、第１長手支持ポール１８の露出部を第１部２０の第１留め具６０内に嵌合させることができると共に、第２部２２の第２留め具６０を第２スリーブ１２１の対応する切り欠き５０を通じて第２長手支持ポール１８の対応する露出部にアクセスさせ、第２長手支持ポール１８の露出部を第２部２２の第２留め具６０内に嵌合させることができる。
【００３６】
その後、各支持脚１６の第２部２２を第１部２０に対して縮小位置から拡張位置へ枢動させる。これにより、各支持脚１６の第２部２２の第２水平部３８と第１部２０の第１水平部３２とが略平行になり、且つ各支持脚１６の第１部２０の第１留め具６０及び第２部２２の第２留め具６０が第１距離Ｄ１で位置する。これにより、各支持脚１６が拡張状態となり、第１長手支持ポール１８と第２長手支持ポール１８との間の距離が離間し、寝床部１２が緊張状態で第１長手支持ポール１８と第２長手支持ポール１８とに懸架される。
【００３７】
その後、各支持脚１６のスライドロック２８をＸ’方向側（第２部２２側）に移動させてスライドロック２８に第２部２２の第２水平部３８を上記した何れかの態様でロックさせる。これにより、各支持脚１６が拡張状態で維持される。以上のようにコット１０が組み立てられる。
【００３８】
以下、コット１０の分解手順について詳しく説明する。各支持脚１６のスライドロック２８をＸ方向側（第１部２０側）に移動させてスライドロック２８と第２部２２の第２水平部３８との上記した何れかの態様のロックを解除させる。
【００３９】
その後、各支持脚１６の第２部２２を第１部２０に対して拡張位置から縮小位置へ枢動させる。これにより、各支持脚１６の第２部２２の第２水平部３８が第１部２０の第１水平部３２に対して傾斜し、且つ各支持脚１６の第１部２０の第１留め具６０及び第２部２２の第２留め具６０が第２距離Ｄ２で位置する。これにより、各支持脚１６が縮小状態となり、第１長手支持ポール１８と第２長手支持ポール１８との間の距離が接近し、寝床部１２の緊張が解除される。その後、第１部２０の第１留め具６０と第１長手支持ポール１８の対応する露出部との嵌合及び第２部２２の第２留め具６０と第２長手支持ポール１８の露出部との嵌合を解除させる。
【００４０】
その後、寝床部１２の第１、第２スリーブ１２１から第１、第２長手支持ポール１８を引き抜く。以上の通りコット１０が分解される。
【００４１】
以上のようなコット１０及び支持脚１６による場合、各支持脚１６において、スライドロック２８が第１水平部３２にスライド自在に設けられおり、このスライドロック２８が、第２部２２が第１部２０に対して拡張位置に位置する状態で第２部２２側に移動して第２水平部３８をロックしているため、仮に第１部２０及び／又は第２部２２に外力が加わったとしても、スライドロック２８のロックが外れ難いため、第２部２２が第１部２０に対して拡張位置から縮小位置に枢軸する可能性が低減される。
【００４２】
なお、本開示は、可搬式コット１０に関する。このコットは、柔軟性支持部材１２（寝床部）と、この柔軟性支持部材を地面上方又は床上方の懸架位置で支持する骨組み１４とを有している。骨組み１４は、複数のリブ部材１６（支持脚）と、複数の長手支持部材１８とを備えている。各リブ部材は、コットの幅に沿って延びている。リブ部材は、コットの縦長に沿って、間隔をあけて設けられている。
各リブ部材は、第１部２０を備えており、この第１部２０は、枢軸部２４及び連結部２６により第２部２２に枢動可能に連結されている。各リブ部材は、また、リブ部材の第１部がリブ部材の第２部に対して枢動するのを防ぐスライドロック２８を有している。リブ部材の第１部２０は、起立部３０と水平部３２とを有している。リブ部材の第２部２２は、起立部３６と、水平部３８とを有している。リブ部材の第１部の水平部３２は、リブ部材の第２部の水平部３８に対する連結部２６からの枢結部２４を有している。リブ部材の第２部２２において、枢結部２４は、リブ部材の第２部の水平部３８がリブ部材の第２部の起立部３６に移行する箇所に隣接していてもよい。リブ部材の第１部において、連結部２６及び枢結部２４は、リブ部材の第１部の水平部３２の先端に隣接していてもよい。
枢結により、リブ部材の第１部がリブ部材の第２部に対して、縮小位置と拡張位置の間で枢動可能になっている。縮小位置は、第２部の水平部が第１部の水平部から離れるように傾斜しており、且つ第１部の起立部の先端が第２部の起立部の先端に対して第１距離にある位置である。拡張位置は、第１部の水平部が第２部の水平部と平行であり且つ隣接しており、且つ第１部の起立部の先端が、第２部の起立部の先端に対して第２距離にある位置であり、この第２距離は第１距離よりも大きい。
骨組みは、また、第１、第２の長手支持部材１８を備えている。第１、第２の長手支持部材は、各リブ部材の起立部の先端に取り外し可能に係合している。各リブ部材が拡張位置にある通常形態でコットがセットアップされるとき、リブ部材の第１、第２部の起立部の各先端が、前記長手支持部材を離間させる。リブ部材が縮小位置にある収縮形態でコットがセットアップされるとき、リブ部材の第１、第２部の起立部の各先端が、拡張位置よりも小さく前記長手支持部材を離間させる。柔軟性支持部材は、その両端部に、長手支持部材が挿入されるスリーブを有していてもよい。柔軟性支持部材の両端部には、複数の切り欠き５０が設けられていてもよく、この切り欠きを通じて、長手支持部材にアクセス可能になっている。
各リブ部材の起立部の先端は、留め具６０を有していてもよい。留め具により、起立部の先端が長手支持部材に取り外し可能に係合できるようにしてもよい。留め具は、柔軟性部材の切り欠きに挿通されることにより、各リブ部材の起立部の先端が対応する長手支持部材に取り外し可能に係合できるようになっていてもよい。留め具は、長手支持部材に係合する大きさであってもよい。長手支持部材は、断面が丸くてもよく、ポールであってもよい。留め具は、断面がＣ字状であって、そのＣ字状留め具の内径部にポールが挿入できるようになっていてもよい。
リブ部材の第１部の起立部の先端には、留め具が設けられていてもよく、リブ部材の第２部の起立部の先端には、同様の構成であり且つ反対側の長手支持部材に係合する留め具が設けられていてもよい。
コットを準備するに際して、柔軟性部材を骨組みに対して長手方向に配置してもよい。柔軟性支持部材の両端部にあるスリーブに長手支持ポールを挿入してもよい。複数のリブ部材を、長手支持部材と係合するための一般領域に、長手方向に間隔をあけて配置してもよい。リブ部材の第１部の起立部を柔軟性部材の切り欠きに挿通させて、留め具が長手支持ポールに切り欠き内で係合するようにしてもよい。この工程を、リブ部材毎にコットの長さに沿って繰り返してもよい。
そして、リブ部材が縮小位置にある状態で、リブ部材の第２部の起立部の先端を、柔軟性部材の切り欠きに挿通させて、留め具が長手支持ポールに切り欠き内で係合するようにしてもよい。この工程を、リブ部材毎にコットの長さに沿って繰り返してもよい。
そして、リブ部材の第２部を第１部に対して枢動させることにより、リブ部材を拡張位置に位置させてもよい。これにより、第１、第２部の先端上の留め具が互いに離れるように移動し、また、柔軟性支持部材の両端部にあるスリーブ内で長手支持部材が互いに離れるように移動して、柔軟性部材がきつく張られる。リブ部材の第２部がリブ部材の第１部に対して枢動することにより、リブ部材の第２部の水平部がリブ部材の第１部の水平部に隣接するようになる。各リブ部材の第１、第２部の各水平部が互いに隣接した状態で、留め具を所定位置にスライドすることにより、リブ部材を一括してロックし、且つ柔軟性部材を外側にきつく引っ張り続け、これによりコットが支持されるようにしてもよい。各リブ部材の第１、第２部の各起立部の先端上の留め具を互いに近づくよう移動させやすくするような何らかの力が柔軟性部材の表面に加わっても、留め具と、地面に載置されているリブ部材とがその力に対抗できる。コットを収納のために畳むには、逆の手順を行ってもよい。
【００４３】
なお、上記した支持脚及びコットは、上記実施例に限定されるものではなく、実用新案登録請求の範囲の記載範囲において任意に設計変更することが可能である。以下、詳しく述べる。
【００４４】
本考案の第１、第２長手支持部材は、ポールに限定されず、コットの柔軟性支持部材の両端部のスリーブ内に設けられており、且つ支持脚の第１、第２留め具に係合可能なものであれば良い。本考案の支持脚は、コットの柔軟性支持部材の両端部の第１、第２長手支持ポールを支持するものに限定されず、コット以外の柔軟性支持部材の両端部の第１、第２長手支持部材を支持することが可能である。例えば、本考案の支持脚は、テーブルや作業台の天板部をなす柔軟性支持部材の両端部の第１、第２長手支持部材を支持することが可能であり、また、ベンチの座面部をなす柔軟性支持部材の両端部の第１、第２長手支持部材を支持することが可能である。
【００４５】
本考案の第１、第２留め具は、フックに限定されず、上記した何れかの態様の柔軟性支持部材の両端部に設けられた長手支持部材に着脱可能に係合可能である限り、どのような構成であっても構わない。
【００４６】
なお、上記した加熱燃焼装置の各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。
【符号の説明】
【００４７】
１０：コット
１２：寝床部（柔軟性支持部材）
１２１：第１、第２スリーブ
５０：切り欠き
１４：骨組み
１８：第１、第２長手支持ポール（第１、第２長手支持部材）
１６：支持脚
２０：第１部
３０：第１起立部
３２：第１水平部
２２：第２部
３６：第２起立部
３８：第２水平部
２４：枢軸部
２６：連結部
２８：スライドロック
６０：第１、第２留め具
Ｄ１：第１距離
Ｄ２：第２距離
【図１】
0003224063.tif 000003
【図２】
0003224063.tif 000004
【図３】
0003224063.tif 000005
【図４】
0003224063.tif 000006
【図５】
0003224063.tif 000007
【図６】
0003224063.tif 000008